(57)【要約】【課題】  化粧板部に立体造形を備えていても、情報の表示時に文字等の情報をはっきりと視認しやすい状態で表示させることができる表示装置を提供する。【解決手段】  光源を備えた発光部１０ｃ及び文字、図形、記号、画像、映像などの情報１０ｄを表示する表示部１０ａとを備えた本体部１０と、この本体部１０に設けられ、表示部１０ａに表示された情報１０ｄを視認できるように透光性の部材によって形成された化粧板部１１とを備えた表示装置１において、化粧板部１１の表面には、表面に凹凸があっても情報１０ｄを視認できる範囲で、発光部１１ｃの照射光の拡散を抑制する透光性の材料によって立体造形１１ａが形成されている構成とした。前記透光性の材料としてはポリウレタンエラストマー、ポリウレアエラストマー、ポリウレタンウレアエラストマーを主材とする樹脂材料を用いることができる。【選択図】  図１
2018041012.tif 000002
【特許請求の範囲】
【請求項１】
光源を備えた発光部及び文字、図形、記号、画像、映像などの情報を表示する表示部とを備えた本体部と、この本体部に設けられ、前記表示部に表示された情報を視認できるように透光性の部材によって形成された化粧板部とを備えた表示装置において、
前記化粧板部の表面には、表面に凹凸があっても前記情報を視認できる範囲で、前記発光部の照射光の拡散を抑制する透光性の材料によって立体造形が形成されていること、
を特徴とする表示装置。
【請求項２】
前記化粧板部が、透明基板とこの透明基板の一面に貼着された立体造形とから構成されることを特徴とする請求項１に記載の表示装置。
【請求項３】
前記透光性の材料がポリウレタンエラストマー、ポリウレアエラストマー、ポリウレタンウレアエラストマーを主材とする樹脂材料であること、
を特徴とする請求項１又は２に記載の表示装置。
【請求項４】
前記透光性の材料に、前記情報を表示できる透光性を維持する範囲内で一色又は複数色の着色剤を混合したことを特徴とする請求項１〜３のいずれかに記載の表示装置。
【請求項５】
前記立体造形の表面に、前記情報を表示できる透過性を維持できる範囲内で一色又は複数色の着色を施したことを特徴とする請求項１〜４のいずれかに記載の表示装置。
【請求項６】
前記立体造形が天然物又は人工物を模して形成されていることを特徴とする請求項１〜５のいずれかに記載の表示装置。
【発明の詳細な説明】
【技術分野】
【０００１】
本発明は、文字、図形、記号、画像、映像などの情報を表示させる表示装置に関し、特に自然物や人工の構造物などを模した立体的な造形の化粧板部を備え、この化粧板部を通して情報を表示させることが可能な表示装置に関する。
【背景技術】
【０００２】
ＬＥＤやレーザー、ＥＬ（エレクトロルミネッセンス）などの発光部を発光させることで、文字、図形、記号、画像又は映像などの情報を表示させて、これを見る人に何らかの情報を伝達する表示装置が知られている。そして、このような表示装置の中には、様々な模様やデザインが施された化粧板部を備え、この化粧板部に前記情報を表示させるようにすることで、前記情報の表示時と非表示時とで表示装置の見え方を変えたり、非表示時に前記化粧板部を周囲の環境と同調させて目立たなくしたりするものがある（例えば特許文献１〜４参照）。
【先行技術文献】
【特許文献】
【０００３】
【特許文献１】特開２０００−３０５４９６号公報
【特許文献２】特開２００９−８０９８１号公報
【特許文献３】特許第４４６９４６３号公報
【特許文献４】特開２０１１−６８１２３号公報
【発明の開示】
【発明が解決しようとする課題】
【０００４】
ところで、文字等の情報を表示させる化粧板部を備えたこの種の表示装置においては、前記情報を視認しやすい状態で前記化粧板部に表示させて、表示を見る人に情報を正確かつ迅速に伝達する必要がある。そのため上記した従来の表示装置においては、前記化粧板部に凹凸があると前記発光部から照射された照射光が前記化粧板部で拡散され、表示が見えにくくなることから、前記化粧板部を平らに仕上げているのが一般的である。
しかし、表示装置を設置する周囲環境には種々のものがあり、可能な限り周囲環境に溶け込ませて目立たなくするために、前記表示装置を周囲環境に合わせた形態としても、情報を表示させる前記化粧板部が平らであると、表示装置の存在がすぐにわかってしまう上に見る人に違和感を覚えさせるという問題がある。
【０００５】
本発明は上記の問題点にかんがみてなされたもので、表示装置だけでなく化粧板部も周囲の環境に合わせて立体的に造形しても、情報の表示時に文字等の情報をはっきりと視認しやすい状態で前記化粧板部に表示させることができ、文字等の情報を見る人に正確かつ迅速に伝えることが可能な表示装置の提供を目的とする。
【課題を解決するための手段】
【０００６】
上記したように化粧板部に立体的な造形（凹凸）があると、発光部から照射された照射光が化粧板部の前記凹凸によって拡散して、文字等の情報がはっきりと表示されなくなり、視認性を悪化させる。表面に凹凸があっても、照射光が拡散することなく化粧板部から放出されるようにすれば、視認性の問題は解決することができる。
【０００７】
そこで本発明は、光源を備えた発光部及び文字、図形、記号、画像、映像などの情報を表示する表示部とを備えた本体部と、この本体部に設けられ、前記表示部に表示された情報を視認できるように透光性の部材によって形成された化粧板部とを備えた表示装置において、前記化粧板部の表面には、表面に凹凸があっても前記情報を視認できる範囲で、前記発光部の照射光の拡散を抑制する透光性の材料によって立体造形が形成されている構成としてある。
前記化粧板部は、アクリル板や塩ビ板、ガラス板などの透明基板と、この透明基板の一面に透明接着剤で貼着された立体造形とから構成されていてもよい。
【０００８】
本発明の表示装置においては、他の条件として、（１）周囲の環境を模した複雑な凹凸のある立体造形を容易に成形できる易成形性があること、（２）屋外に設置されることが多いため長期に亘って劣化しない耐候性があること、（３）表示装置の本体部の形状も周囲環境やデザインに合わせて多種多様になることから、前記表示装置の本体部の形状に合わせて変形できるだけの柔軟性を有すること、（４）従来の表示装置と変わらないコストで製造が可能であること、の要件を満たすことが好ましい。そこで本発明の発明者は、上記の要件を全て満たす材料を探したところ、ポリウレタンエラストマー、ポリウレアエラストマー、ポリウレタンウレアエラストマーを主成分とする樹脂材料が好適であることを見だした。
【０００９】
なお、前記ポリウレタンエラストマー、ポリウレアエラストマー、ポリウレタンウレアエラストマーを含む前記透光性の材料には、前記情報を表示できる透光性を維持する範囲内で一色又は複数色の着色剤を混合してもよいし、前記立体造形の表面に、前記情報を表示できる透過性を維持できる範囲内で一色又は複数色の着色を施してもよい。
【発明の効果】
【００１０】
本発明の表示装置によれば、化粧板部に立体造形が施されていても、文字等の情報を視認可能な状態で表示させて、化粧板部に表示される情報を見る人に正確かつ迅速に伝えることが可能になる。また、周囲環境に溶け込んだ違和感の無いデザインの表示装置を得ることが可能である。
特に透光性の材料としてポリウレタンエラストマー、ポリウレアエラストマー、ポリウレタンウレアエラストマーを用いれば、比較的低廉で成形性及び耐光性に優れ、かつ、加工しやすい柔軟性を有するため、上記（１）〜（４）の要件の全てを満たした表示装置を得ることができる。
【発明を実施するための最良の形態】
【００１１】
以下、本発明の好適な実施形態を詳細に説明する。
図１は本発明の表示装置の一実施形態にかかり、化粧板部と本体部とを分解した斜視図、図２は表示装置の図１におけるＩ−Ｉ方向断面図、図３はこの実施形態の表示装置の作用を説明する図で、（ａ）は情報の非表示時の状態を、（ｂ）は情報の表示時の状態を示している。図４は、本発明の表示装置の一適用例を示す斜視図である。
図１に示すように、この実施形態の表示装置１は、文字、図形、記号、画像、映像（動画を含む）などの情報１０ｄを表示する表示部１０ａと、光源を備えた発光部１０ｃと、表示部１０ａと発光部１０ｃとを収容する筐体１０ｂとを有する本体部１０と、本体部体１０の一面に設けられ、表示部１０ａに表示された文字等の情報を視認できるように透光性の部材によって形成された化粧板部１１とを備えている。
そして、化粧板部１１は透明なガラス板、塩ビ板、アクリル板等で形成された透明基板１１ｂと、この透明基板１１ｂｇの表面に、ポリウレタンエラストマー、ポリウレアエラストマー、ポリウレタンウレアエラストマーなどを主材とする樹脂材料によって形成された立体造形１１ａとを備えている。立体造形１１ａの種類は特に問わないが、岩石や木材その他の植物、動物、皮革などの天然物を模したものに限らず、壁面や畳などを含む土木建築物や芸術作品などの人工物を模したものであってもよい。なお、図１の例に示す化粧板部１１には樹皮を模した立体造形が施されている。
【００１２】
表示部１０ａは、従来の表示装置に使用されている一般的なものを使用することができる。表示部１０ａには、例えばＬＥＤや蛍光灯、白熱灯などを内蔵する発光部１０ｃによって文字等の情報を投影表示するもの、有機ＥＬなどの自発光の発光体によって文字等の情報１０ｄを表示するもの（この場合は、表示部１０ａと発光部１０ｃとが一体である）、発光部１０ｃに内蔵されたレーザー光源からのレーザー光の照射によって、表示面に文字等の情報１０ｄを描写するものなどが含まれる。発光部１０ｃの照射光の拡散を可能な限り防止するために、情報１０ｄが表示される表示部１０ａの表面は、透明基板１１ｂの裏面に可能な限り接近又は密着させるとよい。
【００１３】
立体造形１１ａは、イソシアネートとポリオールとを配合することで合成されるポリウレタンエラストマーの他、ポリウレアエラストマー又はポリウレタンウレアエラストマーから形成するとよい。株式会社キグラから販売されているポリウレタンエラストマー（商品名「キグラタンＥＳＭ８００Ｄ」又は同「キグラタン６０Ｄ  ＦＲ  ＲＯＨＳ」）を好適に用いることができる。
ポリウレタンエラストマー、ポリウレアエラストマー又はポリウレタンウレアエラストマーは、表面に凹凸がある成形品であっても、前記成形品を透過する光の直進性に優れるという特徴がある。そのため、立体造形１１ａを有する化粧板部１１を透過して、表示部１０ａに表示される文字等の情報１０ｄを視認することが可能である。また、ポリウレタンエラストマー、ポリウレアエラストマー又はポリウレタンウレアエラストマーは複雑な凹凸のある立体造形１１ａを容易に成形できる易成形性、長期に亘って劣化しない耐候性、本体部１０の形状に合わせて変形できるだけ柔軟性、比較的低廉な価格という利点を備える。
【００１４】
このポリウレタンエラストマー、ポリウレアエラストマー又はポリウレタンウレアエラストマーには、必要に応じて一色又は複数色の着色剤を混合してもよい。また、立体造形１１ａの表面に一色又は複数色の着色を施してもよい。これらの着色剤の混合や着色は、見る人への迅速かつ正確な情報１０ｄの伝達を妨げない範囲で行わなければならないことは言うまでもない。このような着色剤の混合や着色によって、立体造形１１ａを周囲の環境に合わせた色や模様とすることが可能である。
【００１５】
上記構成の表示装置１は、以下のように作用する。
発光部１０ｃのスイッチをＯＦＦにした状態では、図３（ａ）に示すように、立体造形１１ａには文字等の情報１０ｄは表示されないが、発光部１０ｃのスイッチをＯＮにして発光部１０ｃを発光させると、表示部１０ｂに文字等の情報１０ｄが表示され、この情報１０ｄが照射光とともに化粧板部１１の立体造形１１ａに入射される。化粧板部１１は凹凸のある立体造形１１ａによって透過光があまり拡散しないポリウレタンエラストマー、ポリウレアエラストマー又はポリウレタンウレアエラストマーで形成されているから、化粧板部１１の表面には、図３（ｂ）に示すように文字等の情報１０ｄが浮かび上がり、視認できる状態となる。
【００１６】
なお、図示の例では筐体１０ｂの周囲には立体造形や模様を付していないが、このような形態は建物の壁面など、天然物や人工物を模した構造体の一部に嵌め込んで使用する場合に適している。
また、筐体１０ｂの一部又は全部に立体造形を施せば、表示装置１そのものを天然物や人工物を模した構造体として利用することができる。
【００１７】
例えば図４（ａ）は、表示装置１そのものが丸太を模して形成されたもので、（ｂ）はその横断面図であるが、丸太を模して円柱状に形成された本体部１０の筐体１０ｂの周囲には樹皮を模した立体造形１０ｅが施され、本体部１０の一部に嵌め込まれた化粧板部１１には筐体１０ｂの周囲に形成された立体造形１０ｅと同じ立体造形１１ａが施されている。なお、筐体１０ｂの周囲に形成する立体造形１１ｅは、必ずしもポリウレタンエラストマー、ポリウレアエラストマー又はポリウレタンウレアエラストマーのような透光性の材料で形成する必要は無い。
筐体１０ｂの断面が円形状であることから、化粧板部１１を構成する透明基板１１ｂの表面も部分円弧状に形成され、その平坦な裏面に表示部１０ａを密着させている。
このようにすることで、一見丸太にしか見えない表示装置１の一部に、発光部１０ｃを点灯することで文字等の情報を浮かび上がらせることが可能になり、見る人に一定の情報を伝達するだけでなく、インパクトを与えて宣伝広告効果を高めることができる。
【００１８】
また、図５は壁面や床面、天井面などの一部又は全部に複数の表示装置１を嵌め込んで表示パネルとした一例を示すものである。このように、本発明の表示装置１を複数組み合わせることで、壁面や床面など比較的広い範囲に情報１０ｄを表示させることが可能である。図示の例のように、魚を模した情報１０ｄを動画として表示することで、あたかも壁面や床面などに水中を泳いでいる魚を表示することが可能である。
【００１９】
本発明の実施形態について説明したが、本発明は上記の実施形態に限定されるものではない。
例えば、上記の説明で透光性の材料としてポリウレタンエラストマー、ポリウレアエラストマー又はポリウレタンウレアエラストマーを挙げたが、同様の性質を有するものであれば、透光性の材料は他のものであってもよい。樹脂材料のほか、ガラス系の材料であってもよい。
【図面の簡単な説明】
【００２０】
【図１】本発明の表示装置の一実施形態にかかり、化粧板部と本体部とを分解した斜視図である。
【図２】表示装置の図１におけるＩ−Ｉ方向断面図である。
【図３】図３はこの実施形態の表示装置の作用を説明する図で、（ａ）は情報の非表示時の状態を、（ｂ）は情報の表示時の状態を示している。
【図４】（ａ）は本発明の表示装置の一適用例を示す斜視図で、（ｂ）はその横断面図である。
【図５】本発明の表示装置の他の適用例を示す斜視図で、壁面、床面、天井面などの一部に又は全部に本発明の表示装置を適用した斜視図である。
【符号の説明】
【００２１】
１        表示装置
１０      本体部
１０ａ    表示部
１０ｂ    筐体
１０ｃ    発光部
１０ｄ    情報
１０ｅ    立体造形
１１      化粧板部
１１ａ    立体造形
１１ｂ    透明基板
【図１】
2018041012.tif 000003
【図２】
2018041012.tif 000004
【図３】
2018041012.tif 000005
【図４】
2018041012.tif 000006
【図５】
2018041012.tif 000007